(57)【要約】【課題】コンクリート試験におけるコンクリート試験体の取り違いを防止することができるコンクリート試験管理システム及びコンクリート試験方法を提供する。【解決手段】コンクリート試験管理システム１は、個別試験体情報ＩＤを記録媒体５に書き込む記録媒体読書装置３４と、コンクリート試験体１０の内部にある記録媒体５の固有ＩＤと個別試験体情報ＩＤとを読み取る記録媒体情報読取装置５８とを備える。試験端末６０は、コンクリート試験機５０によって得られた試験結果を固有ＩＤ及び個別試験体情報ＩＤと共に試験依頼者に送信し、依頼者端末３２は、試験結果送信部から受信した固有ＩＤ及び個別試験体情報ＩＤが、それぞれ、予め記録媒体の固有ＩＤ及び書き込まれた個別試験体情報ＩＤと一致していることを確認する。【選択図】図１
2014178272.tif 000002
【特許請求の範囲】
【請求項１】
固有ＩＤと試験依頼者が予め書き込んだ個別試験体情報ＩＤとを有する記録媒体を、前記試験依頼者が予め埋め込んだコンクリート試験体の試験を管理するコンクリート試験管理システムであって、
前記試験依頼者が前記個別試験体情報ＩＤを前記記録媒体に書き込み、また、前記記録媒体から前記固有ＩＤを読み取る記録媒体読書装置と、
前記記録媒体読書装置を制御する依頼者端末と、
前記コンクリート試験体の内部にある前記記録媒体の前記固有ＩＤと前記個別試験体情報ＩＤとを読み取る記録媒体情報読取装置を有し、前記コンクリート試験体について所定のコンクリート試験を行うコンクリート試験機と、
前記コンクリート試験機を制御する試験端末と、を備え、
前記試験端末は、前記コンクリート試験機によって得られた試験結果を前記固有ＩＤ及び前記個別試験体情報ＩＤと共に前記試験依頼者に送信する試験結果送信部を有し、
前記依頼者端末は、前記試験結果送信部から受信した前記固有ＩＤ及び前記個別試験体情報ＩＤが、それぞれ、予め前記記録媒体の前記固有ＩＤ及び書き込まれた前記個別試験体情報ＩＤと一致していることを確認する試験結果確認部を有する、コンクリート試験管理システム。
【請求項２】
さらに、読み取られた前記固有ＩＤ及び前記個別試験体情報ＩＤと前記試験結果とを記録する管理サーバを備える、請求項１に記載のコンクリート試験管理システム。
【請求項３】
前記記録媒体がＩＣタグである、請求項１又は２に記載のコンクリート試験管理システム。
【請求項４】
前記ＩＣタグがパッシブタイプのＩＣタグである、請求項３に記載のコンクリート試験管理システム。
【請求項５】
前記コンクリート試験機は、さらに、前記コンクリート試験体を把持する把持装置と、前記記録媒体情報読取装置を、前記把持装置で把持されたコンクリート試験体の内部にある前記記録媒体を読み取り可能な位置に固定する取付部とを有し、
前記試験端末は、前記把持装置が前記コンクリート試験体を把持したコンクリート把持状態のとき、前記記録媒体情報読取装置を作動させる、請求項１から４のいずれかに記載のコンクリート試験管理システム。
【請求項６】
前記試験端末は、前記コンクリート試験機が前記コンクリート把持状態になった後に、前記記録媒体情報読取装置が前記固有ＩＤ及び前記個別試験体情報ＩＤを読み取った記録媒体読取完了状態になると、前記コンクリート把持状態を維持した状態で前記所定のコンクリート試験を前記コンクリート試験機に行わせる、請求項５に記載のコンクリート試験管理システム。
【請求項７】
請求項５又は６に記載のコンクリート管理システムを用いたコンクリート試験方法であって、
前記記録媒体に、前記個別試験体情報ＩＤを書き込む工程と、
前記記録媒体を埋め込んだ前記コンクリート試験体を製作する工程と、
前記コンクリート試験体を前記コンクリート試験機の前記把持装置に把持させる前記コンクリート把持状態にする工程と、
前記コンクリート把持状態が維持されている状態において、前記記録媒体情報読取装置によって、前記固有ＩＤ及び個別試験体情報ＩＤを読み取る工程と、
前記コンクリート把持状態が維持されている状態において、前記読み取る工程の後に前記所定のコンクリート試験を行う工程と、を含むコンクリート試験方法。
【発明の詳細な説明】
【技術分野】
【０００１】
本発明は、コンクリート試験管理システム及びコンクリート試験方法に関する。
【背景技術】
【０００２】
従来、コンクリートの試験の際に、試験者は、試験依頼者がコンクリート試験体の表面に直接油性マジックなどで手書きされた識別番号、作成日、及び種類などを目視で確認して試験対象のコンクリート試験体を選んで試験を行ってきた。また、測定された強度データを試験者がデータシートなどに書き取ってからパソコンに手入力で入力して強度データを解析する方法が一般的であった。
【０００３】
このような従来例に関連して、特許文献１には、コンクリート試験体の個別情報を自動的に識別できるようにする試験システムが開示されている。
この試験システムにおいては、コンクリート試験体の表面には個体情報を識別するためのラベルシールが添付されており、ラベルシールを光学読み取り装置により個体識別用の固有ＩＤなどを読み取る。
【先行技術文献】
【特許文献】
【０００４】
【特許文献１】特開２００７−１９８４０号公報
【発明の概要】
【発明が解決しようとする課題】
【０００５】
しかし、特許文献１に記載の技術では、コンクリート試験体の表面に添付されたラベルシールを光学的な方法で読み取るので、ラベルシールが汚れたり、毀損したりするおそれがあり、そのような状態になると、ラベルシールに記載されている個体情報を正確に読み取ることができないことがある。
また、ラベルシールがコンクリート試験体の表面に添付されているだけなので、試験者がコンクリート試験体の試験をするまでに、ラベルシールが紛失したり、改ざんされたりするおそれがあり、依頼者が依頼したコンクリート試験体とは別のコンクリート試験体を試験してしまうおそれがある。
【０００６】
本発明の課題は、コンクリート試験におけるコンクリート試験体の取り違いを防止することができるコンクリート試験管理システム及びコンクリート試験方法を提供することにある。
【課題を解決するための手段】
【０００７】
本発明に係るコンクリート試験管理システムは、固有ＩＤと試験依頼者が予め書き込んだ個別試験体情報ＩＤとを有する記録媒体を、前記試験依頼者が予め埋め込んだコンクリート試験体の試験を管理するコンクリート試験管理システムである。
コンクリート試験管理システムは、前記試験依頼者が前記個別試験体情報ＩＤを前記記録媒体に書き込み、また、前記記録媒体から前記固有ＩＤを読み取る記録媒体読書装置と、前記記録媒体読書装置を制御する依頼者端末と、前記コンクリート試験体の内部にある前記記録媒体の前記固有ＩＤと前記個別試験体情報ＩＤとを読み取る記録媒体情報読取装置を有し、前記コンクリート試験体について所定のコンクリート試験を行うコンクリート試験機と、前記コンクリート試験機を制御する試験端末と、を備える。前記試験端末は、前記コンクリート試験機によって得られた試験結果を前記固有ＩＤ及び前記個別試験体情報ＩＤと共に前記試験依頼者に送信する試験結果送信部を有する。前記依頼者端末は、前記試験結果送信部から受信した前記固有ＩＤ及び前記個別試験体情報ＩＤが、それぞれ、予め前記記録媒体の前記固有ＩＤ及び書き込まれた前記個別試験体情報ＩＤと一致していることを確認する試験結果確認部を有する。
【０００８】
コンクリート試験管理システムは、さらに、読み取られた前記固有ＩＤ及び前記個別試験体情報ＩＤと前記試験結果とを記録する管理サーバを備えてもよい。
前記記録媒体がＩＣタグであってもよい。
前記ＩＣタグがパッシブタイプのＩＣタグであってもよい。
【０００９】
前記コンクリート試験機は、さらに、前記コンクリート試験体を把持する把持装置と、前記記録媒体情報読取装置を、前記把持装置で把持されたコンクリート試験体の内部にある前記記録媒体を読み取り可能な位置に固定する取付部とを有し、前記試験端末は、前記把持装置が前記コンクリート試験体を把持したコンクリート把持状態のとき、前記記録媒体情報読取装置を作動させるようにしてもよい。
【００１０】
前記試験端末は、前記コンクリート試験機が前記コンクリート把持状態になった後に、前記記録媒体情報読取装置が前記固有ＩＤ及び前記個別試験体情報ＩＤを読み取った記録媒体読取完了状態になると、前記コンクリート把持状態を維持した状態で前記所定のコンクリート試験を前記コンクリート試験機に行わせてもよい。
【００１１】
本発明に係るコンクリート試験方法は、上述のコンクリート管理システムを用いたコンクリート試験方法であり、前記記録媒体に、前記個別試験体情報ＩＤを書き込む工程と、前記記録媒体を埋め込んだ前記コンクリート試験体を製作する工程と、前記コンクリート試験体を前記コンクリート試験機の前記把持装置に把持させる前記コンクリート把持状態にする工程と、前記コンクリート把持状態が維持されている状態において、前記記録媒体情報読取装置によって、前記固有ＩＤ及び個別試験体情報ＩＤを読み取る工程と、前記コンクリート把持状態が維持されている状態において、前記読み取る工程の後に前記所定のコンクリート試験を行う工程と、を含む。
【発明の効果】
【００１２】
本発明によれば、コンクリート試験におけるコンクリート試験体の取り違いを防止することができるコンクリート試験管理システム及びコンクリート試験方法を提供することができる。
【図面の簡単な説明】
【００１３】
【図１】本発明に係る一例のコンクリート試験管理システムの概略図である。
【図２】図１に示したコンクリート試験管理システムの作業手順を示すフローチャートである。
【図３】図２に続くフローチャートである。
【図４】図３に続くフローチャートである。
【発明を実施するための形態】
【００１４】
図１を参照するに、本発明に係るコンクリート試験管理システム１は、例えば、コンクリート試験体１０の試験を管理するシステムであって、ネットワーク２を介して依頼者室３０と試験室４０と管理サーバ３とを接続して構成されている。
【００１５】
コンクリート試験体１０には、試験依頼者によって、ＩＣタグのような記録媒体５が埋め込まれている。ＩＣタグは、ＨＦ、ＵＨＦ帯の周波数を利用するパッシブタイプのＩＣタグが好ましい。
記録媒体５は、固有ＩＤが記録された読み取り専用の記録部６と、個別試験体情報ＩＤの書き込みや読み取りが可能な記録部７とを有する。
【００１６】
依頼者室３０は、試験依頼者がコンクリート試験体１０を制作したり、コンクリート試験を依頼するに必要な個別試験体情報ＩＤを記録部７に設定したりするところであり、例えば、試験依頼者の建物の中である。
依頼者室３０には、ネットワーク２に接続された依頼者端末３２と、依頼者端末３２に接続された記録媒体読書装置３４とが設置されている。
【００１７】
依頼者端末３２は、ＨＤＤのような記録部２０と、受信部２２と、モニター３３と、ＣＰＵ２４と、を有する。記録部２０は、ＣＰＵ２４の制御信号に基づいて、コンクリート成分や混合条件など、複数のコンクリート試験体の情報を保有する。受信部２２は、ネットワーク２を介して送られてくる管理サーバ３の試験結果の情報を受信し、ＣＰＵ２４に送るよう構成されている。モニター３３は、ＣＰＵ２４の制御信号に基づいて、試験依頼者に、固有ＩＤ、個別試験体情報ＩＤ及び試験結果を含むコンクリート試験体１０の情報を表示するよう構成されている。ＣＰＵ２４は、予め設定されたプログラムに基づいて、記録部２０、受信部２２、記録媒体読書装置３４及びモニター３３を制御するよう構成されている。
【００１８】
記録媒体読書装置３４は、依頼者端末３２のＣＰＵ２４に接続される。記録媒体読書装置３４は、ＣＰＵ２４の制御信号に基づいて、個別試験体情報ＩＤを記録媒体５の記録部７に書き込むこと、記録媒体５に書き込まれた個別試験体情報ＩＤを読み取ること、及び、ＣＰＵ２４の制御信号に基づいて記録媒体５の記録部６に記録されている固有ＩＤを読み取ることができるＩＣタグリーダのような装置である。
【００１９】
モニター３３は、ＣＰＵ２４の制御信号に基づいて、記録媒体読書装置３４を介して読み取った記録媒体５の固有ＩＤを表示する固有ＩＤの表示領域３６を有する。また、モニター３３は、記録媒体読書装置３４を介して読み取った個別試験体情報ＩＤを表示する個別試験体情報ＩＤの表示領域３８を有する。
【００２０】
依頼者室３０にはコンクリート試験体１０を製作する作業場のような空間（図示せず）がある。
【００２１】
試験室４０には、コンクリート試験機５０と試験端末６０とが設置されている。
コンクリート試験機５０は、例えば、コンクリート圧縮試験を行う試験装置である。コンクリート試験機５０は、圧縮シリンダー５２と、コンクリート試験体１０を把持するチャックのような把持装置５４と、荷重測定部５６と、記録媒体情報読取装置５８と、取付部５９とを備える。
圧縮シリンダー５２は、試験端末６０からの加圧信号に基づいてコンクリート試験体１０を圧縮するように、コンクリート試験機５０のフレームに取り付けられている。
【００２２】
把持装置５４は、試験端末６０からの把持信号に基づいて、コンクリート試験体１０を把持する把持装置である。把持装置５４が把持信号を受信すると、把持装置５４は、コンクリート試験体１０が把持装置５４から取り外し不能に、かつ、コンクリート試験体１０のコンクリート圧縮試験が可能な状態に、コンクリート試験体１０を把持する。
把持装置５４が試験端末６０からの開放信号を受信すると、把持装置５４は、コンクリート試験体１０が把持装置５４から取り外し可能に、コンクリート試験体１０を開放すると共に、コンクリート試験体１０のコンクリート圧縮試験が不可能な状態になる。
荷重測定部５６は、コンクリート試験体１０を載置し、コンクリート試験体１０に作用している荷重を測定し、測定された荷重の値を荷重信号として試験端末６０に出力する測定装置である。
【００２３】
記録媒体情報読取装置５８は、試験端末６０からの読取信号に基づいて、コンクリート試験体１０の内部に埋め込まれている記録媒体５の記録部６の固有ＩＤ及び記録部７の個別試験体情報ＩＤを読み取るＩＣタグリーダのような装置である。
取付部５９は、記録媒体情報読取装置５８を、コンクリート試験機５０のフレームに固定する。このとき、記録媒体情報読取装置５８は、記録媒体情報読取装置５８が把持装置５４に把持された状態のコンクリート試験体１０の内部にある記録媒体５を読み取れる位置に固定される。つまり、取付部５９に取り付けられた記録媒体情報読取装置５８は、コンクリート試験体１０が把持装置５４に把持されている状態で、記録媒体５を読み取ることができ、それ以外の状態では、記録媒体５を読み取ることが困難になる。
【００２４】
試験端末６０は、モニター６１と、把持ボタン６２と、試験開始ボタン６４と、ＣＰＵ６７と、記録部６８と、送受信部６６とを有する。
【００２５】
モニター６１は、取付状態表示領域７２と、試験状態表示領域７４と、固有ＩＤの表示領域７６と、個別試験体情報ＩＤの表示領域７８とを有する。
取付状態表示領域７２は、把持装置５４がコンクリート試験体１０を適切に把持している状態を維持している間、その旨を表示する領域である。
試験状態表示領域７４は、圧縮シリンダー５２が作動し、コンクリート圧縮試験を行っている間、その旨を表示する領域である。
固有ＩＤの表示領域７６は、記録媒体情報読取装置５８によって取得した固有ＩＤを表示する領域である。
個別試験体情報ＩＤの表示領域７８は、記録媒体情報読取装置５８によって取得した個別試験体情報ＩＤを表示する領域である。
【００２６】
把持ボタン６２は、把持装置５４を把持させる把持信号をＣＰＵ６７に出力するボタンである。
試験開始ボタン６４は、コンクリート圧縮試験を実行させる試験実行信号をＣＰＵ６７に出力するボタンである。
【００２７】
ＣＰＵ６７は、把持ボタン６２と、試験開始ボタン６４と、記録部６８と、送受信部６６とに接続している。また、ＣＰＵ６７は、圧縮シリンダー５２と、把持装置５４と、荷重測定部５６と、記録媒体情報読取装置５８とに接続し、これらを制御する。
【００２８】
図２から図４を参照して、コンクリート試験の依頼からコンクリート圧縮試験の結果の取得まのでの一例の手順を説明する。
【００２９】
図２に示すように、先ず、試験依頼者は、依頼者端末３２を操作して、記録媒体５の記録部６から固有ＩＤを読み取る（ＳＴ０１）。具体的には、ＣＰＵ２４は、記録媒体読書装置３４を介して、記録媒体５の記録部６に記録されている固有ＩＤを取得する。また、ＣＰＵ２４は、取得された固有ＩＤを固有ＩＤの表示領域３６に表示させるよう、モニター３３に制御信号を出力する。
【００３０】
次に、試験依頼者は、コンクリート試験体１０の製作条件と、個別試験体情報ＩＤとを固有ＩＤに関連づけて依頼者端末３２の記録部２０に記録すると共に、記録媒体５の記録部７に個別試験体情報ＩＤを記録する（ステップＳＴ０３）。
具体的には、ＣＰＵ２４は、試験依頼者が入力したコンクリート試験体１０の製作条件を記録部２０に記録させると共に、記録媒体読書装置３４を介して記録媒体５の記録部７に個別試験体情報ＩＤを記録させる。
なお、記録部７には、個別試験体情報ＩＤを暗号化したものを記録してもよい。
【００３１】
次に、試験依頼者は、記録媒体５が埋め込まれたコンクリート試験体１０を製作する（ステップＳＴ０５）。このとき、記録媒体５がコンクリート試験体１０から容易に取り出すことができないように、記録媒体５はコンクリート試験体１０に埋め込まれる。
【００３２】
そして、試験依頼者は、記録媒体５が埋め込まれたコンクリート試験体１０を試験室４０に発送し（ステップＳＴ０７）、試験依頼者の作業は一旦終了する。
【００３３】
図３に示すように、試験者は、試験室４０において、コンクリート試験体１０を受け取る（ステップＳＴ１１）。
【００３４】
次に、試験者は、コンクリート試験体１０をコンクリート試験機５０に取り付ける（ステップＳＴ１３）。具体的には、試験者は、コンクリート試験体１０を、把持装置５４と荷重測定部５６との間に置く。
このとき、把持装置５４はコンクリート試験体１０を把持していないので、ＣＰＵ６７は、取付状態表示領域７２に取り付けが正常でない旨の表示をするよう、モニター６１を制御する。また、ＣＰＵ６７は、コンクリート試験体１０の試験が行われていないので、試験状態表示領域７４にコンクリート圧縮試験が行われていない旨の表示をするよう、モニター６１を制御する。また、ＣＰＵ６７は、コンクリート試験体１０の内部に埋め込まれている記録媒体５の固有ＩＤ及び個別試験体情報ＩＤを読み取っていないので、それぞれ、固有ＩＤの表示領域７６及び個別試験体情報ＩＤの表示領域７８に、その旨の表示をするよう、モニター６１を制御する。
また、ＣＰＵ６７は、把持装置５４がコンクリート試験体１０を把持していないので、記録媒体情報読取装置５８を作動させないよう制御する（記録媒体読み取りロック）。
【００３５】
次に、試験者は、把持ボタン６２を操作して、コンクリート試験体１０を把持装置５４で取り付け、その状態を維持する（ステップＳＴ１５）。
具体的には、ＣＰＵ６７は、把持ボタン６２の把持信号に基づいて把持装置５４にコンクリート試験体１０を把持させ、かつ、その状態を維持するよう、把持装置５４に把持信号を出力する。これにより、コンクリート試験体１０は、コンクリート圧縮試験が開始可能な状態となると共に、把持装置５４から容易には外れない状態になる（コンクリート把持状態）。
また、把持装置５４がコンクリート試験体１０を把持しているので、ＣＰＵ６７は、取付状態表示領域７２に取り付けが正常である旨の表示をするよう、モニター６１を制御する。
また、ＣＰＵ６７は、記録媒体情報読取装置５８がコンクリート試験機５０の取付部５９に取り付けられた状態で、かつ、把持装置５４がコンクリート試験体１０を把持している状態において、記録媒体５の固有ＩＤ及び個別試験体情報ＩＤを記録媒体情報読取装置５８で読み取る読取信号を出力する（記録媒体読取許可状態）。
【００３６】
次に、試験者は、記録媒体情報読取装置５８をコンクリート試験機５０の取付部５９に取り付けて、コンクリート試験体１０の内部にある記録媒体５の固有ＩＤ及び個別試験体情報ＩＤを読み取る（ステップＳＴ１７）。
そして、ＣＰＵ６７は、記録媒体情報読取装置５８で記録媒体５の固有ＩＤ及び個別試験体情報ＩＤを読み取ると、コンクリート圧縮試験が終了するまで、把持装置５４がコンクリート試験体１０を保持し続けるよう、把持装置５４に把持信号を出力する（コンクリート把持状態の維持）。
また、ＣＰＵ６７は、コンクリート試験体１０の内部に埋め込まれている記録媒体５の固有ＩＤ及び個別試験体情報ＩＤを読み取ったので、それぞれ、固有ＩＤの表示領域７６及び個別試験体情報ＩＤの表示領域７８にその旨の表示をするよう、モニター６１を制御する（記録媒体読取完了状態）。
【００３７】
次に、試験者は、試験開始ボタン６４を操作して、ＣＰＵ６７に試験実行信号を出力し、コンクリート圧縮試験を開始する（ステップＳＴ１９）。
ＣＰＵ６７は、把持装置５４がコンクリート把持状態で、記録媒体情報読取装置５８が記録媒体５の固有ＩＤ及び個別試験体情報ＩＤを読み取った（記録媒体読取完了状態）ので、試験開始ボタン６４の試験実行信号に応じて、圧縮シリンダー５２に加圧信号を出力し、コンクリート圧縮試験を開始する。
つまり、ＣＰＵ６７は、コンクリート把持状態及び記録媒体読取完了状態になっていないと、コンクリート圧縮試験を実行させない。
このように、コンクリート把持状態において、記録媒体５の固有ＩＤ及び個別試験体情報ＩＤを読み取り、かつ、コンクリート圧縮試験を行うので、コンクリート圧縮試験におけるコンクリート試験体１０の取り違いは防止される。
【００３８】
次に、ＣＰＵ６７は、試験データを、固有ＩＤ及び個別試験体情報ＩＤに対応させて記録部６８に記録する（ステップＳＴ２１）。
【００３９】
次に、ＣＰＵ６７は、開放信号を出力し、コンクリート圧縮試験が終了すると、圧縮シリンダー５２の試験データの記録を終了する（ステップＳＴ２３）。
【００４０】
次に、ＣＰＵ６７は、コンクリート試験体１０の保持状態を解除する（ステップＳＴ２５）。これにより、ＣＰＵ６７は、把持装置５４に解放信号を出力し、把持装置５４を解除状態（コンクリート把持状態の解除）にさせる。また、ＣＰＵ６７は、ネットワーク２を介して、記録部６８に記録された試験結果を固有ＩＤ及び個別試験体情報ＩＤと共に、管理サーバ３に保存する。
【００４１】
そして、試験者は、試験結果のデータを固有ＩＤ及び個別試験体情報ＩＤと共に、試験依頼者に送信して（ステップＳＴ２７）、試験者の作業を終了する。これにより、ＣＰＵ６７は、試験結果のデータを送受信部６６から試験依頼者に送信する（ステップＳＴ２７）。このとき、試験結果のデータには、固有ＩＤ及び個別試験体情報ＩＤが含まれる。ここで、送受信部６６はコンクリート試験機５０によって得られた試験結果を固有ＩＤ及び個別試験体情報ＩＤと共に試験依頼者に送信するので、試験結果送信部として機能する。
また、ＣＰＵ６７は、読み取られた固有ＩＤ及び個別試験体情報ＩＤと試験結果とを管理及び記録をするため、ネットワーク２を介して管理サーバ３に記録させる。
【００４２】
図４に示すように、試験依頼者は、ネットワーク２を介して試験結果のデータを依頼者端末３２で受領する（ステップＳＴ３１）。
【００４３】
次に、試験依頼者は、受領したデータの記録媒体５の固有ＩＤ及び個別試験体情報ＩＤの確認をする（ステップＳＴ３３）。
具体的には、ＣＰＵ２４は、記録部２０に記録されている固有ＩＤ及び個別試験体情報ＩＤが、それぞれ、受領したデータの固有ＩＤ及び個別試験体情報ＩＤと一致しているかを確認する。したがって、ＣＰＵ２４は、送受信部６６から受信した固有ＩＤ及び個別試験体情報ＩＤが、それぞれ、予め記録媒体の固有ＩＤ及び書き込まれた個別試験体情報ＩＤと一致していることを確認する試験結果確認部として機能する。
固有ＩＤに対する個別試験体情報ＩＤは、試験依頼者しか知り得ない情報であるので、試験者がコンクリート試験体１０の記録媒体５から個別試験体情報ＩＤを読み取ること以外で、個別試験体情報ＩＤを得ることは難しい。つまり、コンクリート試験体１０を把持装置５４に適切に取り付けた状態で、かつ、記録媒体情報読取装置５８を適切に取付部５９に取り付けた状態で、記録媒体５から固有ＩＤ及び個別試験体情報ＩＤを読み取らないと、記録部２０に記録されている固有ＩＤ及び個別試験体情報ＩＤが、それぞれ、受領したデータの固有ＩＤ及び個別試験体情報ＩＤと一致することは殆どない。
【００４４】
そして、試験結果のデータをモニター３３に表示させる（ステップＳＴ３５）。
ＣＰＵ２４は、記録部２０に記録されている固有ＩＤ及び個別試験体情報ＩＤが、それぞれ、受領したデータの固有ＩＤ及び個別試験体情報ＩＤと一致している場合には、受け取った試験結果を表示させ、一致しない場合には、その旨を表示させる。これにより、試験依頼者は、コンクリート試験が適切に行われていたかを知ることができる。
【００４５】
以上のように、コンクリート試験管理システム１によれば、依頼者端末３２が、送受信部６６から受信した固有ＩＤ及び個別試験体情報ＩＤが、それぞれ、予め記録媒体５の固有ＩＤ及び書き込まれた個別試験体情報ＩＤと一致していることを確認することができるので、コンクリート試験におけるコンクリート試験体１０の取り違いによる試験データの信頼性を向上させることができる。
【００４６】
以上、好適な実施形態について説明したが、本発明は上述した実施形態に限定されることなく種々の形態で実施することができる。
例えば、ネットワーク２を介して依頼者室３０と試験室４０と管理サーバ３とが接続されているとして説明したが、これに限定されず、依頼者室３０がネットワーク２に接続していなくてもよい。この場合、試験結果のデータ、固有ＩＤ及び個別試験体情報ＩＤは、例えば、印刷物に印刷されたり、メディアに記録されたりし、これらを試験依頼者に郵送してもよい。
【符号の説明】
【００４７】
１  コンクリート試験管理システム
２  ネットワーク
３  管理サーバ
５  記録媒体
６  記録部
７  記録部
１０  コンクリート試験体
２０  記録部
２２  受信部
２４  ＣＰＵ
３０  依頼者室
３２  依頼者端末
３３  モニター
３４  記録媒体読書装置
３６  表示領域
３８  表示領域
４０  試験室
５０  コンクリート試験機
５２  圧縮シリンダー
５４  把持装置
５６  荷重測定部
５８  記録媒体情報読取装置
５９  取付部
６０  試験端末
６１  モニター
６２  把持ボタン
６４  試験開始ボタン
６６  送受信部
６７  ＣＰＵ
６８  記録部
７２  取付状態表示領域
７４  試験状態表示領域
７６  表示領域
７８  表示領域
【図１】
2014178272.tif 000003
【図２】
2014178272.tif 000004
【図３】
2014178272.tif 000005
【図４】
2014178272.tif 000006